【手続補正書】
【提出日】令和2年8月7日(2020.8.7)
【手続補正１】
【補正対象書類名】特許請求の範囲
【補正対象項目名】全文
【補正方法】変更
【補正の内容】
【特許請求の範囲】
【請求項１】
プロセスプラントのためのプロセス制御システムを操作する方法であって、
ユーザインタフェースのセンサを介して、前記プロセス制御システムと対話することを認可されたユーザの生体認証データを取得することと、
前記取得した生体認証データを、前記プロセス制御システムと対話することを認可されたユーザの記憶されたデータと比較することと、
前記取得した生体認証データと前記記憶されたデータの間の一致に基づいてユーザの身元を判定することと、
前記ユーザの前記身元が判定されると、前記ユーザアクセスを前記プロセス制御システムに提供することと
を含む方法。
【請求項２】
前記取得した生体認証データが前記ユーザの顔の少なくとも一部分を含む画像を含み、前記取得した生体認証データを記憶されたデータと比較することが、
前記画像の１つまたは複数の顔の特性を判定することと、
前記１つまたは複数の顔の特性を前記プロセス制御システムと対話することを認可されたユーザの記憶されたデータと比較することと
を含む、請求項１に記載の方法。
【請求項３】
前記取得した生体認証データが音声録音を含み、前記取得した生体認証データを記憶されたデータと比較することが、
前記音声録音の１つまたは複数の音特性を判定することと、
前記音声録音の前記１つまたは複数の特性を、前記プロセス制御システムと対話することを認可されたユーザの記憶されたデータと比較することと
を含む、請求項１または２に記載の方法。
【請求項４】
前記音声録音の前記１つまたは複数の音特性を判定することは、前記音声録音と関連したトーン、ピッチ、韻律または周波数の１つまたは複数を分析することを含む、請求項３に記載の方法。
【請求項５】
前記プロセス制御システムへのアクセスを許可することは、電子署名のための要求であ
る前記ユーザインタフェースへの入力を含み、
前記ユーザインタフェースの前記センサを介して前記ユーザの画像を取得することと、
前記取得した画像に基づいて、前記ユーザの１つまたは複数の四肢の配置を判定することと、
前記判定された配置に基づいて、前記ユーザの電子署名を含む出力信号を提供することと
をさらに含む、請求項１から４のいずれか１項に記載の方法。
【請求項６】
前記ユーザの前記身元に基づいて認可のレベルを判定することと、
前記判定された認可のレベルに基づいて、前記ユーザインタフェースの１つまたは複数の要素を切り換えることと
をさらに含む、請求項１から５のいずれか１項に記載の方法。
【請求項７】
前記プロセス制御システムへのアクセスを許可することは、
前記ユーザインタフェースの１つまたは複数のコンポーネントを有効にすること
を含んで、ユーザ入力に応答して１つまたは複数の変更を選択的に容易にすることを含む、請求項１から６のいずれか１項に記載の方法。
【請求項８】
前記プロセス制御システムへのアクセスを許可することは、
前記プロセス制御システムのセットポイントを調整すること
を含んで、ユーザ入力に応答して１つまたは複数の変更を選択的に容易にすることを含む、請求項１から７のいずれか１項に記載の方法。
【請求項９】
前記プロセス制御システムへのアクセスを許可することは、
前記プロセス制御システムのモジュールを構成すること
を含んで、ユーザ入力に応答して１つまたは複数の変更を選択的に容易にすることを含む、請求項１から８のいずれか１項に記載の方法。
【請求項１０】
前記プロセス制御システムへのアクセスを許可することは、
前記ユーザの前記判定された身元を含む出力信号を提供すること
を含んで、ユーザ入力に応答して１つまたは複数の変更を選択的に容易にすることを含む、請求項１から９のいずれか１項に記載の方法。
【請求項１１】
プロセスプラントのためのプロセス制御システムを操作するためのシステムであって、
通信ネットワークと、
前記通信ネットワークに通信で連結された１つまたは複数のプロセッサと、
前記１つまたは複数のプロセッサに連結され、前記１つまたは複数のプロセッサにより実行されると、前記システムに、
ユーザインタフェースのセンサを介して、前記プロセス制御システムと対話することを認可されたユーザの生体認証データを取得させ、
前記取得した生体認証データを、前記プロセス制御システムと対話することを認可されたユーザの記憶されたデータと比較させ、
前記取得した生体認証データと前記記憶されたデータ間の一致に基づいてユーザの身元を判定させ、
前記ユーザの前記身元が判定されると、前記プロセス制御システムへの前記ユーザアクセスを提供させる
命令をその上に記憶している、非一時的コンピュータ可読メモリと
を含むシステム。
【請求項１２】
前記取得した生体認証データが前記ユーザの顔の少なくとも一部分を含んでいる画像を
含み、前記１つまたは複数の前記プロセッサにより実行されると前記システムに前記取得した生体認証データを記憶されたデータと比較させる前記命令が、
前記取得した生体認証データの１つまたは複数の顔の特性を判定することと、
前記１つまたは複数の特性を前記プロセスと関連した認可されたユーザの記憶されたデータと比較することと
を含む、請求項１１に記載のシステム。
【請求項１３】
前記１つまたは複数のプロセッサにより実行されると、前記１つまたは複数のステップを選択的に容易にさせる前記命令が、前記システムにさらに、
前記取得した生体認証データに基づいて、前記ユーザの１つまたは複数の四肢の配置を判定させ、
前記判定された配置に基づいて、前記ユーザの電子署名を含む出力信号を提供させる、請求項１１または１２に記載のシステム。
【請求項１４】
前記１つまたは複数のプロセッサにより実行されると、前記命令が前記システムにさらに、
前記ユーザインタフェースの前記センサを介して前記ユーザと関連した動作を取得させ、
前記取得した動作に基づいて、前記取得した動作に応答して出力信号を提供させる、
請求項１１から１３のいずれか１項に記載のシステム。
【請求項１５】
前記出力信号が、前記ユーザインタフェースから前記ユーザをログオフする命令を含む、請求項１４に記載のシステム。
【請求項１６】
前記１つまたは複数のプロセッサにより実行されると、前記１つまたは複数のステップを選択的に容易にさせる前記命令が、前記システムにさらに、前記ユーザはユーザインタフェースを介して前記プロセス制御システムにアクセスすることが可能となるようにさせる、請求項１１から１５のいずれか１項に記載のシステム。
【請求項１７】
前記１つまたは複数のプロセッサにより実行されると、前記命令が前記システムにさらに、前記ユーザの前記判定された身元に基づいてユーザプロファイルを起動させる、請求項１１から１６のいずれか１項に記載のシステム。
【請求項１８】
前記１つまたは複数のプロセッサにより実行されると、前記命令が、ユーザ入力に対応する１つまたは複数のステップを選択的に容易にして、前記システムに、前記プロセス制御システムのセットポイントを調整させる、請求項１１から１７のいずれか１項に記載のシステム。
【請求項１９】
前記１つまたは複数のプロセッサにより実行されると、前記命令が、ユーザ入力に対応する１つまたは複数のステップを選択的に容易にして、前記システムに、
前記プロセス制御システムのモジュールを構成させる、
請求項１１から１８のいずれか１項に記載のシステム。
【請求項２０】
プロセス制御システムの１つまたは複数のプロセッサにより実行されると、前記プロセス制御システムに、
１つまたは複数のセンサによって、前記プロセス制御システムのプロセスと関連したユーザの生体認証データを取得させ、
前記１つまたは複数のプロセッサによって、前記取得した生体認証データに基づいて前記ユーザの認可のレベルを判定させ、
前記ユーザの前記身元が判定されると、前記プロセス制御システムへの前記ユーザアク
セスを提供させる
命令を記憶する、有形のコンピュータ可読媒体。
【請求項２１】
プロセス制御システムの１つまたは複数のプロセッサにより実行されると、前記プロセス制御システムに、
前記１つまたは複数のプロセッサによって、前記ユーザからの前記プロセスに対応する入力を受信させ、
前記判定された認可のレベルに基づいて、前記１つまたは複数のプロセッサによって、前記入力に対応する１つまたは複数のステップを選択的に容易にさせる
命令をさらに記憶する、請求項２０に記載の有形のコンピュータ可読媒体。
【請求項２２】
前記プロセスに対応する前記入力は電子署名のための要求であり、前記１つまたは複数のプロセッサにより実行されると前記１つまたは複数のステップを選択的に容易にする前記命令が、前記プロセス制御システムにさらに、
前記１つまたは複数のプロセッサによって、前記取得した生体認証データに基づいて、前記ユーザの１つまたは複数の四肢の配置を判定させ、
前記判定された配置に基づいて、前記ユーザの電子署名を含む出力信号を提供させる、請求項２１に記載の有形のコンピュータ可読媒体。
【請求項２３】
前記１つまたは複数のプロセッサにより実行されると、前記入力に対応する前記１つまたは複数のステップを選択的に容易にする前記命令が、前記プロセス制御システムにさらに、
前記ユーザがユーザインタフェースを介して前記プロセス制御システムにアクセスすることを可能にさせる、
請求項２１または２２に記載の有形のコンピュータ可読媒体。
【請求項２４】
前記１つまたは複数のプロセッサにより実行されると、前記入力に対応する前記１つまたは複数のステップを選択的に容易にする前記命令が、前記プロセス制御システムにさらに、
前記プロセス制御システムのセットポイントを調整させる、
請求項２１から２３のいずれか１項に記載の有形のコンピュータ可読媒体。
【請求項２５】
前記１つまたは複数のプロセッサにより実行されると、前記入力に対応する前記１つまたは複数のステップを選択的に容易にする前記命令が、前記プロセス制御システムにさらに、
前記プロセス制御システムのモジュールを構成させる、
請求項２１から２４のいずれか１項に記載の有形のコンピュータ可読媒体。
【請求項２６】
プロセスプラントのためのプロセス制御システムを操作するシステムであって、
通信ネットワークと、
前記通信ネットワークに通信で連結した１つまたは複数のプロセッサと、
前記１つまたは複数のプロセッサに連結して、１つまたは複数の前記プロセッサにより実行されると、前記システムに、
ユーザインタフェースのセンサを介して、前記プロセス制御システムと対話することを認可されたユーザの第１の生体認証データを取得させ、
前記第１の生体認証データを、前記プロセス制御システムと対話することを認可されたユーザの記憶されたデータと比較させ、
前記第１の生体認証データと前記記憶されたデータの間の一致に基づいて第１のユーザの身元を判定させ、
ユーザインタフェースのセンサを介して、前記プロセス制御システムと対話すること
を認可された第２のユーザの第２の生体認証データを取得させ、
前記取得した生体認証データに基づいて、前記第２のユーザの１つまたは複数の四肢の配置または声紋を判定させ、
前記判定された配置に基づいて、前記第２のユーザの電子署名を含む出力信号を提供させ、
前記第１のユーザの前記身元が判定されると、前記出力信号に基づいて、前記プロセス制御システムへの前記第１のユーザアクセスを提供させる
命令をその上に記憶する、非一時的コンピュータ可読メモリと
を含むシステム。
【請求項２７】
前記第１の生体認証データが前記第１のユーザの顔の少なくとも一部分を含んでいる画像を含み、前記第１のユーザが確認者であり、前記１つまたは複数の前記プロセッサにより実行されると前記システムに前記第１の生体認証データを記憶されたデータと比較させる前記命令が、
前記第１の生体認証データの１つまたは複数の顔の特性を判定することと、
前記１つまたは複数の特性を前記プロセスと関連した認可されたユーザの記憶されたデータと比較することと
を含む、請求項２６に記載のシステム。
【請求項２８】
前記命令が、１つまたは複数の前記プロセッサにより実行されると、前記システムにさらに、
前記ユーザインタフェースの前記センサを介して、前記第２のユーザと関連した動作を取得させ、
前記取得した動作に基づいて、前記第２のユーザは検証者であるところにおいて、前記出力信号を前記取得した動作に応答して出力させる、
請求項２６または２７に記載のシステム。
【請求項２９】
前記出力信号が、前記ユーザインタフェースから前記第１のユーザをログオフする命令を含む、請求項２６から２８のいずれか１項に記載のシステム。
【請求項３０】
前記命令が、前記１つまたは複数のプロセッサにより実行されると、前記システムに、前記１つまたは複数のステップを選択的に容易にするようにさせ、前記システムにさらに、前記第１のユーザがユーザインタフェースを介して前記プロセス制御システムにアクセスすることを可能にするようにさせる、請求項２６から２９のいずれか１項に記載のシステム。
【請求項３１】
前記命令が、前記１つまたは複数のプロセッサにより実行されると、前記システムにさらに、前記第１のユーザの前記判定された身元に基づいて、ユーザプロファイルを起動させる、請求項２６から３０のいずれか１項に記載のシステム。
【請求項３２】
前記命令が、１つまたは複数の前記プロセッサにより実行されると、前記システムに、ユーザ入力に対応する１つまたは複数のステップを選択的に容易にさせ、前記システムに、前記プロセス制御システムのセットポイントを調整させる、請求項２６から３１のいずれか１項に記載のシステム。
【請求項３３】
前記命令が、１つまたは複数の前記プロセッサにより実行されると、前記システムに、ユーザ入力に対応する１つまたは複数のステップを選択的に容易にさせ、前記システムに、前記プロセス制御システムのモジュールを構成させる、請求項２６から３２のいずれか１項に記載のシステム。